(57)【要約】【課題】  表示手段の待機動作中にアラーム信号が発生された場合においても、アラーム信号の発生を確実に知らせることのできる情報処理装置を実現する。【解決手段】  各種情報を表示する表示手段と、キーボードなどからのキー入力を受け付けるキー入力手段と、このキー入力手段を監視して一定時間キー入力がなかった場合には前記表示手段を待機動作に移行させる表示制御手段と、本装置の機能に関連してアラーム信号を発生し前記表示手段にアラーム情報を表示させるアラーム発生手段と具備する情報処理装置において、アラーム信号が発生された場合には前記表示制御手段における待機動作を解除することを特徴とする。【選択図】    図１
2005134784.tif 000002
【特許請求の範囲】
【請求項１】
各種情報を表示する表示手段と、キーボードなどからのキー入力を受け付けるキー入力手段と、このキー入力手段を監視して一定時間キー入力がなかった場合には前記表示手段を待機動作に移行させる表示制御手段と、本装置の機能に関連してアラーム信号を発生し前記表示手段にアラーム情報を表示させるアラーム発生手段とを具備するとともに、アラーム信号が発生された場合には前記表示制御手段における待機動作を解除することを特徴とする情報処理装置。
【請求項２】
前記待機動作は、スクリーンセーバーの起動および表示部電源の遮断であることを特徴とする請求項１に記載の情報処理装置。
【請求項３】
前記アラーム情報の表示は、ポップアップ画面として前記表示手段における最前面に表示することを特徴とする請求項１または２に記載の情報処理装置。
【請求項４】
前記表示手段においてアラーム情報が表示されている間は、前記表示制御手段における待機動作への移行操作を禁止することを特徴とする請求項１乃至３のいずれかに記載の情報処理装置。
【発明の詳細な説明】
【技術分野】
【０００１】
本発明は、ＣＲＴや液晶ディスプレイなどの表示手段を有し、消費電力の節減や表示手段の寿命伸長のために、一定時間キー入力がなかった場合には、表示手段の電源を遮断するなどの待機動作を行う情報処理装置に関するものである。
【背景技術】
【０００２】
一般に、この種の待機動作としては、スクリーンセーバーを起動したり、表示手段の電源を遮断するなどの方法が採られている。キーボードやマウスなどのキー入力手段を監視し、一定時間キー入力がなかった場合には、待機動作に移行する。スクリーンセーバーの起動と表示手段の電源遮断とは、起動までの時間が個別に設定されている。また、この待機動作中において、キー入力手段からキー操作やマウス信号の変化が検出されると、待機動作が解除され、表示手段は通常の表示状態に復帰する。
【０００３】
【特許文献１】特開２００１−０９２５７０号公報
【０００４】
ここで、情報処理装置がアラーム発生機能を有するものであると、アラーム信号は表示手段の状態に関わりなく、随時発生されることになる。
【０００５】
図４は、一般的な情報処理装置におけるアラーム情報の表示状態を示す説明図である。図において、３０は表示手段における表示画面、４０は表示画面３０中に表示されたアラーム情報である。図に示す例では、情報処理装置は測定した温度を表示する機能を有しており、測定温度が所定の設定値を超えたために、アラーム信号が発生されている。アラーム信号の発生を知らせるためのアラーム情報４０はポップアップ画面として、表示画面３０の最前面に表示され、異常を確実に通知することができる。
【発明の開示】
【発明が解決しようとする課題】
【０００６】
しかしながら、アラーム信号の発生が表示手段の待機動作中であった場合には、表示画面３０にスクリーンセーバーが表示されていたり、表示手段の電源が遮断されている状態のため、アラーム情報４０が表示画面３０に表示されず、異常を通知することができない。
【０００７】
一般に、アラーム信号の発生は、キー入力を伴わないので、アラーム信号の発生により待機動作が解除されることはない。
また、アラーム情報４０の表示とともにブザーなどを鳴らすものもあるが、小型の機器ためにブザーの音量が小さかったり、オペレータが近くに居なかった場合には、ブザーの音だけでは、アラーム信号の発生に気づかないことがある。
【０００８】
本発明は、上記のような従来装置の欠点をなくし、表示手段の待機動作中にアラーム信号が発生された場合においても、アラーム信号の発生を確実に知らせることのできる情報処理装置を実現することを目的としたものである。
【課題を解決するための手段】
【０００９】
このような目的を達成するために、本発明の請求項１では、各種情報を表示する表示手段と、キーボードなどからのキー入力を受け付けるキー入力手段と、このキー入力手段を監視して一定時間キー入力がなかった場合には前記表示手段を待機動作に移行させる表示制御手段と、本装置の機能に関連してアラーム信号を発生し前記表示手段にアラーム情報を表示させるアラーム発生手段とを具備する情報処理装置において、アラーム信号が発生された場合には前記表示制御手段における待機動作を解除することを特徴とする。
【００１０】
請求項２では、請求項１に記載の情報処理装置において、前記待機動作は、スクリーンセーバーの起動および表示部電源の遮断であることを特徴とする。
【００１１】
請求項３では、請求項１または２に記載の情報処理装置において、前記アラーム情報の表示は、ポップアップ画面として前記表示手段における最前面に表示することを特徴とする。
【００１２】
請求項４では、請求項１乃至３のいずれかに記載の情報処理装置において、前記表示手段においてアラーム情報が表示されている間は、前記表示制御手段における待機動作への移行操作を禁止することを特徴とする。
【発明の効果】
【００１３】
このように、アラーム信号が発生された場合には、表示手段における待機動作を解除するように構成すると、アラーム信号の発生とともに表示手段が通常の表示状態に復帰し、アラーム情報が画面の最前部に表示されるので、表示手段の待機動作中にアラーム信号が発生された場合においても、アラーム信号の発生を確実に知らせることができる。
【発明を実施するための最良の形態】
【００１４】
以下、図面を使用して、本発明の情報処理装置を説明する。
【実施例１】
【００１５】
図１は、本発明の情報処理装置の一実施例を示す構成図である。図において、１はＣＲＴや液晶ディスプレイなどの表示手段、２は表示手段１における表示動作を制御したり、電源のオンオフを制御する表示制御手段、３はキーボード、４はキーボード３からのキー入力を受けるキーボード制御手段、５はマウス、６はマウス５からの操作信号を受けるマウス制御手段、７は装置全体の動作を制御したり、温度測定などの特有機能を実現する機能演算手段、８は機能演算手段７と協同してアラーム信号を発生するアラーム発生手段である。キーボード３、キーボード制御手段４，マウス５、マウス制御手段６は、オペレータによるキー入力を受けるキー入力手段９を構成している。
【００１６】
表示制御手段２は、各種情報を表示手段１に表示させるとともに、キーボード３やマウス５などのキー入力手段９を監視し、一定時間キー入力がなかった場合には、待機動作に移行する。例えば、一定時間キー入力がなかった場合には、まずスクリーンセーバーを起動し、更にキー入力がない状態が続いた場合には、表示手段１の電源を遮断する。
【００１７】
ここで、アラーム発生手段８によりアラーム信号が発生された場合の動作を説明する。図２はアラーム信号が発生された場合の動作を示すフローチャートである。図に示すように、アラーム信号が発生されると（１０）、表示手段１の状態が判断され（１１）、通常の表示状態であった場合には（ＮＯ）、表示手段１にポップアップ画面としてアラーム情報を表示する（１３）。また、表示手段１が待機動作中であった場合には（ＹＥＳ）、スクリーンセーバーを停止させたり、表示手段１の電源を投入したりして、表示手段１を通常の表示状態に復帰させ（１２）、後に、表示手段１にポップアップ画面としてアラーム情報を表示する（１３）。
【００１８】
このように、アラーム信号が発生された場合には、表示手段１における待機動作が解除され、表示手段１が通常の表示状態に復帰し、アラーム情報が画面の最前部にポップアップ表示されるので、表示手段１の待機動作中にアラーム信号が発生された場合においても、アラーム信号の発生を確実に知らせることができる。
【実施例２】
【００１９】
図３はアラーム信号が発生された場合における他の動作例を示すフローチャートである。図において、前記図２と同様のものは同一符号を付して示す。図に示す例は、表示手段１においてアラーム情報が表示されている間は、表示制御手段２における待機動作への移行操作を禁止するようにしたものである。図３（ａ）はアラーム発生手段８によりアラーム信号が発生された場合の動作を示すもので、前記図２と同様の動作により表示手段１にアラーム情報を表示させた後（１３）、表示制御手段２におけるキー入力手段９の監視動作をホールドする（１４）。
【００２０】
表示制御手段２におけるキー入力手段９の監視動作をホールドすると、表示手段１にアラーム情報が表示された後は、一定時間キー入力がなかった場合にも、表示手段１が待機動作に移行することがなくなる。
【００２１】
すなわち、オペレータの不在などにより、アラーム情報の表示状態が放置され、長時間が経過した場合においても、表示手段１が再度待機動作に移行して、アラーム情報の表示が消えてしまうことがない。
【００２２】
図３（ｂ）はオペレータによりアラーム信号の発生が確認された場合の動作を示すものである。一般に、オペレータがアラーム信号の発生を確認すると、表示画面上の確認ボタンをクリックするなど、所定のキー操作が行われる。アラーム信号の発生が確認されると（２０）、アラーム情報の表示は消去され（２１）、次いで、キー入力監視動作のホールドが解除される（２２）。キー入力監視動作のホールドが解除されると、表示制御手段２はキー入力手段９の監視を再開し、一定時間キー入力がなかった場合には表示手段１を待機動作に移行させる。
【００２３】
このように、表示手段１においてアラーム情報が表示されている間は、表示制御手段２における待機動作への移行操作を禁止するように構成すると、オペレータの不在などにより、アラーム情報の表示状態が長時間放置された場合にも、表示手段１が再度待機動作に移行して、アラーム情報の表示が消えてしまうことがなく、アラーム信号の発生を確実に通知することができる。
【００２４】
なお、前記図２および図３に示す如き動作は、ソフトウエア的に実現されているもので、表示制御手段２、機能演算手段７、アラーム発生手段８およびキー入力手段９などの機能として限定されるものではない。
【図面の簡単な説明】
【００２５】
【図１】本発明の情報処理装置の一実施例を示す構成図。
【図２】アラーム信号が発生された場合の動作を示すフローチャート。
【図３】アラーム信号が発生された場合における他の動作例を示すフローチャート。
【図４】一般的な情報処理装置におけるアラーム情報の表示状態を示す説明図。
【符号の説明】
【００２６】
１      表示手段
２      表示制御手段
３      キーボード
４      キーボード制御手段
５      マウス
６      マウス制御手段
７      機能演算手段
８      アラーム発生手段
９      キー入力手段
【図１】
2005134784.tif 000003
【図２】
2005134784.tif 000004
【図３】
2005134784.tif 000005
【図４】
2005134784.tif 000006